(57)【特許請求の範囲】
【請求項１】
基材上に印刷画像を形成し、
前記印刷画像は、第１の印刷画像と第２の印刷画像を有し、
前記第１の印刷画像は、前記基材と異なる色を有する光輝性顔料を配合したインキで形成され、
前記第２の印刷画像は、前記第１の印刷画像上の少なくとも一部に透明性インキで重ね刷りして形成され、
前記第２の印刷画像は、ｎ（ｎは３以上の整数）個の領域に分割して形成され、
前記ｎ個に分割された各領域内は、５０μｍ〜２００μｍの画線が複数配置された第１の万線画線、第２の万線画線、・・・第ｎ−１の万線画線及び第ｎの万線画線（ｎは３以上）のいずれかに振り分けられた万線画線が形成され、
前記第１の万線画線、前記第２の万線画線、・・・第ｎ−１の万線画線及び前記第ｎの万線画線は、前記第２の印刷画像の濃度階調に従って万線画線ごとに前記万線画線の配列方向の角度が異なることを特徴とする印刷物であって、
前記印刷物を第１の角度で観察した場合に第１の印刷画像が視認され、第２の角度から徐々に傾けて観察した場合に前記第２の印刷画像が徐々に階調画像として視認されることを特徴とする真偽判別可能な印刷物。
【請求項２】
前記第１の万線画線、前記第２の万線画線、・・・第ｎ−１の万線画線及び前記第ｎの万線画線（ｎは３以上）は、等間隔の直万線パターンで画線と非画線部の割合が１：２〜２：１の範囲であることを特徴とする請求項１記載の真偽判別可能な印刷物。
【請求項３】
前記第１の印刷画像の網点面積率は、５０％〜１００％の面積率の範囲で、網点面積率の差が１５％以上５０％以下の範囲で第１の階調画像が形成されていたことを特徴とする請求項１又は２記載の真偽判別可能な印刷物。
【請求項４】
前記ｎ個の領域の輪郭が、画線によって形成されたことを特徴とする請求項１乃至３のいずれか一項記載の真偽判別可能な印刷物。
【請求項５】
第１の印刷画像は、
ｉ）網点形状の大小及び疎密、
ｉｉ）万線形状の太細及び疎密、
ｉｉｉ）波線形状の太細及び疎密、
ｉｖ）破線形状の太細及び疎密、
前記ｉ）乃至ｉｖ）のいずれか一つによって形成されていることを特徴とする請求項１乃至４のいずれか一項記載の真偽判別可能な印刷物。
【請求項６】
前記第１の印刷画像は、アルミニウム粉末、銅粉末、亜鉛粉末、錫粉末、真鍮粉末又はリン化鉄のいずれかの光輝性顔料を配合したインキで形成することを特徴とする請求項１乃至５のいずれか一項記載の真偽判別可能な印刷物。
【請求項７】
前記第２の印刷画像を形成する透明性インキは、透明ニス、インキワニス、透明インキ又はメジウムインキのいずれかであることを特徴とする請求項１乃至６のいずれか一項記載の真偽判別可能な印刷物。
【請求項８】
前記透明性インキは、蛍光材料又は赤外線吸収性材料を含むことを特徴とする請求項１乃至７のいずれか一項記載の真偽判別可能な印刷物。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、観察角度によって異なる画像が確認されることで真偽判別を可能とする印刷物に関するものである。
【背景技術】
【０００２】
銀行券、パスポート、有価証券、身分証明書、カード、通行券等の貴重印刷物は、その価値を保証・維持するために、偽造防止技術が施されている。そのため、このような貴重印刷物には、複写機での再現が困難な干渉マイカ、酸化フレークマイカ、顔料コートアルミニウムフレーク、光学的変化フレーク等の特殊な光輝性材料を配合したインキで印刷が施され、複写防止、真偽判別が行なわれている。
【０００３】
例えば、光輝性材料を配合したインキで印刷された印刷物としては、シート状又は帯状の支持体の凹凸表面に光輝性領域が設けられるとともに、その光輝性領域の少なくとも一部に、光輝性領域と同一・同質及び／又は異質の他の光輝性領域がインキにより積層して形成された偽造防止用表示体であって、支持体の凹凸表面に形成された光輝性領域が支持体表面の凹凸によって入射光に対して乱反射を示し、その光輝性領域の上面に積層した他の光輝性領域が平坦面によって入射光に対して正反射を示すことを特徴とする偽造防止用表示体とその製法が開示されている（特許文献１参照）。
【０００４】
また、基材に基材の平滑度より高い少なくとも一つの情報パターンを形成し、情報パターン上及びその周辺の背景領域は、金属光沢インキによって刷り重ねて金属光沢インキ領域が形成され、金属光沢インキ領域は、情報パターンに刷り重ねられた金属光沢情報パターン領域と、背景領域に刷り重ねられた金属光沢背景領域に区分けされてなる偽造防止印刷物が開示されている（特許文献２参照）。
【０００５】
また、最近では、貴重印刷物には、意匠性を保ちつつ、偽造防止効果の高い偽造防止要素及び印刷技術が望まれている。例えば、第１の視認性情報の情報画像領域及び背景画像領域の一方に、密な基材隠蔽率の光輝性隠蔽層を形成し、他方に、疎な基材隠蔽率の光輝性隠蔽層を形成するとともに、第２の視認性情報の情報画像領域及び背景画像領域の両領域に、密な基材隠蔽率の光輝性隠蔽層を形成し、該密な光輝性隠蔽層の少なくとも一部分に可視光吸収性の高い極めて疎な隠蔽率の隠蔽層を形成することによって、観察角度を変化させることで視認性情報が変化する偽造防止用情報担持体が開示されている（特許文献３参照）。
【０００６】
また、基材と、基材の一表面上の印刷画像領域全面に基材と異なる色を有する光輝性材料で形成された第１の印刷画像と、印刷画像領域内の少なくとも一部に透明性材料から形成された第２の印刷画像を備え、第１の印刷画像上に第２の印刷画像を形成することを特徴とする偽造防止用情報担持体が開示されている（特許文献４参照）。
【先行技術文献】
【特許文献】
【０００７】
【特許文献１】特許第３４４９６９０号公報
【特許文献２】特許第４５９０６１４号公報
【特許文献３】特許第３３９８７５８号公報
【特許文献４】特許第４６０４２０９号公報
【発明の概要】
【発明が解決しようとする課題】
【０００８】
特許文献１は、下地と情報パターンの両方を光輝性インキで形成し、情報パターンの明暗が変化するか否かによって、その貴重品が本物か否か真偽判別されるものである。しかしながら、光輝性インキは高コストであるため、実際に得られる印刷物も高コストであった。さらに、下地と情報パターンの両方を光輝性インキで印刷するため、下地と情報パターンの光沢差が少ないものとなり、情報パターンの視認性は優れるものではなく、改良の余地があった。特許文献１及び２は、所定の観察角度によって特定の画像のみが出現する印刷物であり、偽造防止、真偽判別効果を向上させるために、特許文献３及び４のようにある特定の画像から観察角度を異ならせることによって別の画像が出現する技術が求められている。しかしながら、特許文献３及び４は、二つの画像がスイッチする印刷物であって、複雑な濃度階調を有した画像が潜像画像として出現することで偽造防止、真偽判別効果を向上させることが求められている。また、印刷物自体の構成が複雑であっても作製が容易であることが求められている。
【０００９】
本発明は、前述した課題の解決を目的とするものであり、製造の難易度が低く、かつ、安定した連続製造が可能で、印刷物を第１の角度で観察した場合に第１の印刷画像が視認され、第２の角度から徐々に傾けて観察した場合に第２の印刷画像が徐々に階調画像として視認される、画像のチェンジ効果に優れた真偽判別可能な印刷物に関わるものである。
【課題を解決するための手段】
【００１０】
本発明は、基材上に印刷画像を形成し、印刷画像は、第１の印刷画像と第２の印刷画像を有し、第１の印刷画像は、基材と異なる色を有する光輝性顔料を配合したインキで形成され、第２の印刷画像は、第１の印刷画像上の少なくとも一部に透明性インキで重ね刷りして形成され、第２の印刷画像は、ｎ（ｎは３以上の整数）個の領域に分割して形成され、ｎ個に分割された各領域内は、５０μｍ〜２００μｍの画線が複数配置された第１の万線画線、第２の万線画線、・・・第ｎ−１の万線画線及び第ｎの万線画線（ｎは３以上）のいずれかに振り分けられた万線画線が形成され、第１の万線画線、第２の万線画線、・・・第ｎ−１の万線画線及び第ｎの万線画線は、第２の印刷画像の濃度階調に従って万線画線ごとに万線画線の配列方向の角度が異なることを特徴とする印刷物であって、印刷物を第１の角度で観察した場合に第１の印刷画像が視認され、第２の角度から徐々に傾けて観察した場合に第２の印刷画像が徐々に階調画像として視認されることを特徴とする。
【００１１】
本発明の第１の万線画線、第２の万線画線、・・・第ｎ−１の万線画線及び第ｎの万線画線（ｎは３以上）は、等間隔の直万線パターンで画線と非画線部の割合が１：２〜２：１の範囲であることを特徴とする。
【００１２】
本発明の第１の印刷画像の網点面積率は、５０％〜１００％の面積率の範囲で、網点面積率の差が１５％以上５０％以下の範囲で第１の階調画像が形成されていたことを特徴とする。
【００１３】
本発明は、ｎ個の領域の輪郭が、画線によって形成されたことを特徴とする。
【００１４】
本発明の第１の印刷画像は、ｉ）網点形状の大小及び疎密、ｉｉ）万線形状の太細及び疎密、ｉｉｉ）波線形状の太細及び疎密、ｉｖ）破線形状の太細及び疎密、ｉ）乃至ｉｖ）のいずれか一つによって形成されていることを特徴とする。
【００１５】
本発明の第１の印刷画像は、アルミニウム粉末、銅粉末、亜鉛粉末、錫粉末、真鍮粉末又はリン化鉄のいずれかの光輝性顔料を配合したインキで形成することを特徴とする。
【００１６】
本発明の第２の印刷画像を形成する透明性インキは、透明ニス、インキワニス、透明インキ又はメジウムインキのいずれかであることを特徴とする。
【００１７】
本発明の透明性インキは、蛍光材料又は赤外線吸収性材料を含むことを特徴とする。
【００１８】
本発明の第２の印刷画像は、１０〜１５０μｍの盛り上がりを有することを特徴とする。
【発明の効果】
【００１９】
本発明の真偽判別可能な印刷物は、印刷物を第１の角度で観察した場合に第１の印刷画像が視認され、第２の角度から徐々に傾けて観察した場合に第２の印刷画像が徐々に階調画像として視認されることを特徴とする、画像のチェンジ効果に優れているため、偽造防止、真偽判別効果に優れる。
【００２０】
本発明の真偽判別可能な印刷物は、生産性の高い印刷方式であるオフセット印刷で製造可能であることからコストパフォ−マンスに優れ、厳密に刷り合わせを制御する必要がなく、製造の難易度が低く、かつ、安定した連続製造が可能である。
【図面の簡単な説明】
【００２１】
【図１】本発明における真偽判別可能な印刷物（１）を示す図である。
【図２】第２の印刷画像（５）において分割した領域を示す図である。
【図３】図３は、第２の印刷画像（５）の濃度階調に従って分割した領域を示す図である。
【図４】第２の印刷画像（５）の印刷要素を示す図である。
【図５】第２の印刷画像（５）において、高濃度領域、第１の中間濃度領域、第２の中間濃度領域及び低濃度領域に当てはめられた１３個の領域の輪郭が画線で形成されていない例を示す図でする。
【図６】真偽判別可能な印刷物（１）を拡散光領域で観察、第１の方向から拡散光領域から正反射光領域に徐々に視点を変えて観察及び第２の方向から拡散光領域から正反射光領域に徐々に視点を変えて観察したときの照明光源、視点及び真偽判別可能な印刷物（１）の三つの位置関係を図示したものである。
【図７】本発明における真偽判別可能な印刷物（１）を拡散光領域で観察した場合を示す図である。
【図８】本発明における真偽判別可能な印刷物（１）を第１の方向から拡散光領域から正反射光領域に徐々に視点を変えて観察した場合を示す図である。
【図９】本発明における真偽判別可能な印刷物（１）を第２の方向から拡散光領域から正反射光領域に徐々に視点を変えて観察した場合を示す図である。
【図１０】本発明における真偽判別可能な印刷物（１−１）を示す図である。
【図１１】本発明における真偽判別可能な印刷物（１−１）を拡散光領域で観察した場合を示す図である。
【図１２】本発明における真偽判別可能な印刷物（１−１）を第１の方向から拡散光領域から正反射光領域に徐々に視点を変えて観察した場合を示す図である。
【図１３】本発明における真偽判別可能な印刷物（１−１）を第２の方向から拡散光領域から正反射光領域に徐々に視点を変えて観察した場合を示す図である。
【図１４】実施例２における真偽判別可能な印刷物（１−２）を示す図である。
【図１５】第２の印刷画像（５−２）の濃度階調に従って分割した領域を示す図である。
【図１６】第２の印刷画像（５−２）の印刷要素を示す図である。
【図１７】本発明における真偽判別可能な印刷物（１−２）を拡散光領域で観察した場合を示す図である。
【図１８】本発明における真偽判別可能な印刷物（１−２）を第１の方向から拡散光領域から正反射光領域に徐々に視点を変えて観察した場合を示す図である。
【図１９】本発明における真偽判別可能な印刷物（１−２）を第２の方向から拡散光領域から正反射光領域に徐々に視点を変えて観察した場合を示す図である。
【図２０】実施例３における真偽判別可能な印刷物（１−３）を示す図である。
【図２１】本発明における真偽判別可能な印刷物（１−３）を拡散光領域で観察した場合を示す図である。
【図２２】本発明における真偽判別可能な印刷物（１−３）を第１の方向から拡散光領域から正反射光領域に徐々に視点を変えて観察した場合を示す図である。
【図２３】本発明における真偽判別可能な印刷物（１−３）を第２の方向から拡散光領域から正反射光領域に徐々に視点を変えて観察した場合を示す図である。
【発明を実施するための形態】
【００２２】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２３】
（実施の形態１）
図１に、本発明における真偽判別可能な印刷物（１）を示す。真偽判別可能な印刷物（１）は、基材（２）の上に、印刷画像（３）が形成されて成る。印刷画像（３）は、第１の印刷画像（４）と第２の印刷画像（５）を有し、第１の印刷画像（４）は、基材と異なる色を有する光輝性顔料を配合したインキで形成される。図１に示す第１の印刷画像（４）は、所定の観察状態で第一の有意情報である「円」の図柄が視認できる例を示す。第２の印刷画像（５）は、第１の印刷画像（４）上の少なくとも一部に透明性インキで重ね刷りして形成される。図１に示す第２の印刷画像（５）は、所定の観察状態で第二の有意情報である「船」の図柄が視認できる例を示す。さらに、詳細に第２の印刷画像（５）を説明する。
【００２４】
図２は、第２の印刷画像（５）において分割した領域を示す図である。図２に示すように第２の印刷画像（５）は、画像の構成ごと及び／又は色彩の明度ごとに１３個の領域に分割して形成されている。第２の印刷画像（５）は、これに限定されることなく、ｎ（ｎは３以上の整数）個の領域に分割することができ、ｎ個の領域は、第１の領域、第２の領域、第３の領域、・・・第ｎ−１の領域及び第ｎの領域に分割して形成することができる。
【００２５】
図３は、第２の印刷画像（５）の濃度階調を示す図である。図３に示すように、１３個の領域に分割された第２の印刷画像（５）は、高濃度領域（６ａ）、第１の中間濃度領域（６ｂ）、第２の中間濃度領域（６ｃ）及び低濃度領域（６ｄ）に当てはめられる。第２の印刷画像（５）の濃度領域は、これに限定されることなく、ｎ（ｎは３以上の整数）個の濃度領域に当てはめることができる。
【００２６】
図４は、第２の印刷画像（５）の印刷要素を示す図である。図３に示した高濃度領域、第１の中間濃度領域、第２の中間濃度領域及び低濃度領域に当てはめられた１３個の領域を第１の万線画線（７ａ）、第２の万線画線（７ｂ）、第３の万線画線（７ｃ）及び第４の万線画線（７ｄ）で形成する。第１の万線画線（７ａ）、第２の万線画線（７ｂ）、第３の万線画線（７ｃ）及び第４の万線画線（７ｄ）は、万線画線ごとに配列方向（角度）が相違している。第１の万線画線（７ａ）、第２の万線画線（７ｂ）、第３の万線画線（７ｃ）及び第４の万線画線（７ｄ）は、所定の角度から光を照射した際に、第１の万線画線、第２の万線画線、第３の万線画線及び第４の万線画線の反射光量は、第１の万線画線＞第２の万線画線＞第３の万線画線＞第４の万線画線、又は第１の万線画線＜第２の万線画線＜第３の万線画線＜第４の万線画線となり、各万線画線の領域ごとに濃度が異なる。つまり、第１の万線画線は高濃度領域となり、第２の万線画線は第１の中間領域となり、第３の万線画線は第２の中間領域となり、第４の万線画線は低濃度領域となるか、第４の万線画線は高濃度領域となり、第３の万線画線は第１の中間領域となり、第２の万線画線は第２の中間領域となり、第１の万線画線は低濃度領域となる。図４では、高濃度領域（６ａ）の第１の万線画線（７ａ）の配列方向を０°とした場合、第１の中間濃度領域（６ｂ）の第２の万線画線（７ｂ）の配列方向を３０°又は１５０°とし、第２の中間濃度領域（６ｃ）の第３の万線画線（７ｃ）の配列方向を６０°又は１２０°とし、低濃度領域（６ｄ）の第４の万線画線（７ｄ）の配列方向を９０°又は２７０°としている。低濃度領域の万線画線の配列方向の角度を０°とした場合に、低濃度領域から高濃度領域に濃度が濃くなるに従い、徐々に万線画線の配列が９０°又は２７０°に近づいて配列する必要がある。第１の万線画線、第２の万線画線、第３の万線画線及び第４の万線画線の画線は、５０μｍ〜２００μｍの画線が一定のピッチで複数配列される。５０μｍ〜２００μｍの画線の範囲については、５０μｍ以下の画線は、作製上困難であり、２００μｍ以上であると下記の効果を得られ難くなる問題が生じる。また、第１の万線画線、第２の万線画線、第３の万線画線及び第４の万線画線の画線は、等間隔の直万線パターンで画線と非画線部の割合が１：２〜２：１の範囲であることが好ましい。また、第１の万線画線、第２の万線画線、第３の万線画線及び第４の万線画線は、それぞれ画線の太さを異ならせてもよい。図４に示した各領域が万線画線で形成された第２の印刷画像（５）は、第１の印刷画像（４）上に重ね刷りされて真偽判別可能な印刷物（１）が得られる。
【００２７】
図５は、第２の印刷画像（５）において、高濃度領域、第１の中間濃度領域、第２の中間濃度領域及び低濃度領域に当てはめられた１３個の領域の輪郭（８）が画線で形成されていない例を示す図でする。各領域に輪郭画線が形成されていなくても本発明の効果を奏することができる。
【００２８】
図６は、真偽判別可能な印刷物（１）を拡散光領域で観察、第１の方向から拡散光領域から正反射光領域に徐々に視点を変えて観察及び第２の方向から拡散光領域から正反射光領域に徐々に視点を変えて観察したときの照明光源、視点及び真偽判別可能な印刷物（１）の三つの位置関係を図示したものである。照明光源（２１ａ）と視点（２２ａ）と真偽判別可能な印刷物（１）が位置関係（ａ）にあるとき、拡散光領域で観察したことになり、照明光源（２１ｂ）と視点（２２ｂ）と真偽判別可能な印刷物（１）が位置関係（ｂ）にあるとき、第１の方向から拡散光領域から正反射光領域に徐々に視点を変えて観察したことになり、照明光源（２１ｃ）と視点（２２ｃ）と真偽判別可能な印刷物（１）が位置関係（ｃ）にあるときは、第２の方向から拡散光領域から正反射光領域に徐々に視点を変えて観察したことになる。
【００２９】
図７乃至９に真偽判別可能な印刷物（１）の作用を示す。図７に示すように拡散光領域で観察する場合、第１の印刷画像（４）である「円」の図柄のみが視認できる。図８に示すように第１の方向から拡散光領域から正反射光領域に徐々に視点を変えて観察する場合、図８（ａ）に示すように拡散光が正反射光よりも強い領域では、第１の印刷画像（４）である「円」の図柄内に第２の印刷画像（５）である「船」の図柄が一定の濃度で視認され、図８（ｂ）に示すように正反射光領域に近づくにつれて第１の印刷画像（４）である「円」の図柄内に第２の印刷画像（５）である「船」の図柄がポジ画像として視認できる。図９に示すように第２の方向から拡散光領域から正反射光領域に徐々に視点を変えて観察する場合、図９（ａ）に示すように拡散光が正反射光よりも強い領域では、第１の印刷画像（４）である「円」の図柄内に第２の印刷画像（５）である「船」の図柄が一定の濃度で視認され、図９（ｂ）に示すように正反射光領域に近づくにつれて第１の印刷画像（４）である「円」の図柄内に第２の印刷画像（５）である「船」の図柄がネガ画像として視認できる。
【００３０】
本発明の真偽判別可能な印刷物（１）は、第１の拡散光領域で第２の印刷画像は、第１の印刷画像上に透明性インキで重ね刷りして形成されているため、視認することができず、第１の印刷画像のみが視認できる。第１の方向から拡散光領域から正反射光領域に徐々に視点を変えて観察する場合は、第２の印刷画像（５）の各領域の万線画線の配列方向に起因する反射光の差異により第２の印刷画像（５）の「船」の図柄がポジ画像として視認できる。この原理は、配列方向が０°である高濃度領域６ａの第１の万線画線７ａは、スポット光の影響を受けて最も明るく確認され、配列方向が３０°又は１５０°である第１の中間濃度領域６ｂの第２の万線画線７ｂは、次に明るく確認され、配列方向が６０°又は１２０°である第２の中間濃度領域６ｃの第３の万線画線７ｃは、次に明るく確認され、配列方向が９０°又は２７０°である低濃度領域６ｄの第４の万線画線７ｄは、最も暗く確認でき、第２の印刷画像（５）の「船」の図柄がポジ画像として視認できる。つまり、万線画線の反射光量の差異は、第１の万線画線７ａ＞第２の万線画線７ｂ＞第３の万線画線７ｃ＞第４の万線画線７ｄが成り立つこととなる。第２の方向から拡散光領域から正反射光領域に徐々に視点を変えて観察する場合は、第２の印刷画像（５）の各領域の万線画線の配列方向に起因する反射光の差異により第２の印刷画像（５）の「船」の図柄がネガ画像として視認できる。この原理は、配列方向が０°である低濃度領域６ｄの第４の万線画線７ｄは、スポット光の影響を受けて最も明るく確認され、配列方向が３０°又は１５０°である第２の中間濃度領域６ｃの第３の万線画線７ｃは、次に明るく確認され、配列方向が６０°又は１２０°である第１の中間濃度領域６ｂの第２の万線画線７ｂは、次に明るく確認され、配列方向が９０°又は２７０°である高濃度領域６ａの第１の万線画線７ａは、最も暗く確認でき、第２の印刷画像（５）の「船」の図柄がネガ画像として視認できる。つまり、万線画線の反射光量の差異は、第１の万線画線７ａ＜第２の万線画線７ｂ＜第３の万線画線７ｃ＜第４の万線画線７ｄが成り立つこととなる。
【００３１】
（実施の形態２）
実施の形態２は、実施の形態１の真偽判別可能な印刷物（１）と異なる点を説明する。図１０に、本発明における真偽判別可能な印刷物（１−１）を示す。真偽判別可能な印刷物（１−１）は、基材（２−１）の上に、印刷画像（３−１）が形成されて成る。印刷画像（３−１）は、第１の印刷画像（４−１）と第２の印刷画像（５−１）を有し、第１の印刷画像（４−１）は、基材と異なる色を有する光輝性顔料を配合したインキで形成される。図１０に示す第１の印刷画像（４−１）は、所定の観察状態で第一の有意情報である背景と「Ａ」の文字が視認できる例を示す。第１の印刷画像（４−１）は、ｉ）網点形状の大小及び疎密、ｉｉ）万線形状の太細及び疎密、ｉｉｉ）波線形状の太細及び疎密、ｉｖ）破線形状の太細及び疎密、ｉ）乃至ｉｖ）のいずれか一つによって形成される。第１の印刷画像（４−１）の網点面積率は、５０％〜１００％の面積率の範囲で、網点面積率の差が１５％以上５０％以下の範囲で濃度階調が形成されることを特徴とする。網点面積率及び網点面積率の差が範囲内でないと正反射光下でも第１の印刷画像（４−１）が視認されてしまうため、画像スイッチの効果を得ることができない問題が生じる。第１の印刷画像（４−１）の「Ａ」の文字は連続階調画像で形成していないが、本発明は、これに限定されることなく、連続階調画像であってもよい。第２の印刷画像（５−１）は、第１の印刷画像（４−１）上の少なくとも一部に透明性インキで重ね刷りして形成される。第２の印刷画像（５−１）は、所定の観察状態で第二の有意情報である「船」の図柄が視認できる例を示す。第２の印刷画像（５−１）の構成は、図４で示した構成と同一である。
【００３２】
図１１に示すように拡散光領域で観察する場合、第１の印刷画像（４−１）である背景と「Ａ」の文字が視認できる。図１２（ａ）に示すように第１の方向から拡散光領域から正反射光領域に徐々に視点を変えて観察する場合、拡散光が正反射光よりも強い領域では、第１の印刷画像（４−１）の「Ａ」の文字は視認され難くなり、第１の印刷画像（４−１）の一定濃度となった第１の印刷画像（４）である「円」の図柄内に第２の印刷画像（５）である「船」の図柄が一定の濃度で視認され、図１２（ｂ）に示すように正反射光領域に近づくにつれて第１の印刷画像（４）である「円」の図柄内に第２の印刷画像（５）である「船」の図柄がポジ画像として視認できる。図１３（ａ）に示すように第２の方向から拡散光領域から正反射光領域に徐々に視点を変えて観察する場合、拡散光が正反射光よりも強い領域では、第１の印刷画像（４−１）の「Ａ」の文字は視認され難くなり、第１の印刷画像（４−１）の一定濃度となった第１の印刷画像（４）である「円」の図柄内に第２の印刷画像（５）である「船」の図柄が一定の濃度で視認され、図１３（ｂ）に示すように正反射光領域に近づくにつれて第１の印刷画像（４）である「円」の図柄内に第２の印刷画像（５）である「船」の図柄がネガ画像として視認できる。
【００３３】
本発明の真偽判別可能な印刷物（１−１）は、拡散光領域で第２の印刷画像は、第１の印刷画像上に透明性インキで重ね刷りして形成されているため、視認することができず、第１の印刷画像のみが視認できる。第１の方向又は第２の方向から拡散光領域から正反射光領域に徐々に視点を変えて観察する場合は、第１の印刷画像の反射光量が拡散光領域の観察時よりも増し、第１の印刷画像と第２の印刷画像に濃度差が生じ、第１の印刷画像内に第２の印刷画像が視認できる。このとき、第１の印刷画像（４−１）の網点面積率は、５０％〜１００％の面積率の範囲で、網点面積率の差が１５％以上５０％以下の範囲で濃度階調が形成されるため、第１の印刷画像（４−１）の背景と「Ａ」の文字の濃度差よりも反射光量の方が強く視認されて、「Ａ」の文字が視認することができない。第２の印刷画像が視認できる原理については実施の形態１と同様であるため省略する。
【００３４】
第１の印刷画像（４、４−１）で用いられる光輝性顔料が、アルミニウム粉末、銅粉末、亜鉛粉、錫粉、又はリン化鉄などを成分とする銀色、青味金色又は赤味金色を示すいずれかの光輝性顔料を配合したインキであり、これらのインキは、紫外線硬化型インキや酸化重合型インキに限定するものではなく、浸透型インキ、過熱乾燥インキ、蒸発乾燥インキなどの印刷インキであってもよい。
【００３５】
第２の印刷画像（５、５−１）で用いられるに透明性インキは、着色顔料を使用しない透明なニス、インキワニス、透明インキ又はメジウムインキのいずれかであり、これらのインキは、紫外線硬化型インキや酸化重合型インキに限定するものではなく、浸透型インキ、過熱乾燥インキ、蒸発乾燥インキなどの印刷インキであってもよい。また、本発明の透明性インキは、蛍光材料又は赤外線吸収性材料を含有させることによって偽造防止及び真偽判別効果が向上する。さらに、多少の着色顔料を含有させても本発明の効果を得ることができる。
【００３６】
基材は、白色用紙に限定するものではなく、上質紙、コート紙、プラスチックカードなどの印刷画像を担持できる平面を有していればよい。
【００３７】
印刷方式は、ウェットオフセット印刷、ドライオフセット印刷、凸版印刷、水無平版印刷、グラビア印刷、フレキソ印刷、スクリーン印刷、凹版印刷又はプリンタなど特に限定されるものではない。
【００３８】
以下、前述の発明を実施するため形態に従って、具体的に作製した真偽判別可能な印刷物の実施例について詳細に説明するが、本発明は、この実施例に限定されるものではない。
（実施例１）
【００３９】
図１４は、第１の実施例である真偽判別可能な印刷物（１−２）である。真偽判別可能な印刷物（１−２）は、基材である白色のコート紙（２−２）上の一部分に、第１の印刷画像（４−２）を、光輝性顔料を配合したインキである紫外線硬化型の金属光沢インキ「Ｔ＆Ｋ  ＴＯＫＡ  ＵＶ  ＮＯ３  シルバー」を用いて、ウェットオフセット印刷によって網点面積率１００％で「円」の図柄を印刷した。次に、第１の印刷画像（４−２）の「円」の図柄上に第２の印刷画像（５−２）を、酸化重合型の透明ニスである「Ｎｅｗ  Ｃｈａｍｐｉｏｎ  マット  ＯＰニス」を用いて、ウェットオフセット印刷によって網点面積率１００％で「船」の図柄を重ね刷りした。
【００４０】
図１５に示すように第２の印刷画像（５−２）は、画像の構成ごと及び／又は色彩の明度ごとに１３個の領域に分割し、分割した領域を高濃度領域（６ａ−２）、第１の中間濃度領域（６ｂ−２）、第２の中間濃度領域（６ｃ−２）及び低濃度領域（６ｄ−２）に当てはめた。次に、図１６に示すように高濃度領域（６ａ−２）の第１の万線画線（７ａ−２）の配列方向を０°とした場合、第１の中間濃度領域（６ｂ−２）の第２の万線画線（７ｂ−２）の配列方向を３０°とし、第２の中間濃度領域（６ｃ−２）の第３の万線画線（７ｃ−２）の配列方向を６０°とし、低濃度領域（６ｄ−２）の第４の万線画線（７ｄ−２）の配列方向を９０°とした。
【００４１】
図１７に示すように真偽判別可能な印刷物（１−２）を拡散光領域で観察する場合、第１の印刷画像（４−２）である「円」の図柄が視認でき、図１８に示すように第１の方向から拡散光領域から正反射光領域に徐々に視点を変えて観察する場合、図１８（ａ）に示すように拡散光が正反射光よりも強い領域では、第１の印刷画像（４−２）である「円」の図柄内に第２の印刷画像（５−２）である「船」の図柄が一定の濃度で視認され、図１８（ｂ）に示すように正反射光領域に近づくにつれて第１の印刷画像（４−２）である「円」の図柄内に第２の印刷画像（５−２）である「船」の図柄がポジ画像として視認できた。図１９に示すように第２の方向から拡散光領域から正反射光領域に徐々に視点を変えて観察する場合、図１９（ａ）に示すように拡散光が正反射光よりも強い領域では、第１の印刷画像（４−２）である「円」の図柄内に第２の印刷画像（５−２）である「船」の図柄が一定の濃度で視認され、図１９（ｂ）に示すように正反射光領域に近づくにつれて第１の印刷画像（４）である「円」の図柄内に第２の印刷画像（５−２）である「船」の図柄がネガ画像として視認できた。
（実施例２）
【００４２】
図２０は、第２の実施例である真偽判別可能な印刷物（１−３）である。真偽判別可能な印刷物（１−３）は、基材である白色のコート紙（２−３）上の一部分に、第１の印刷画像（４−３）を、光輝性顔料を配合したインキである紫外線硬化型の金属光沢インキ「Ｔ＆Ｋ  ＴＯＫＡ  ＵＶ  ＮＯ３  シルバー」を用いて、ウェットオフセット印刷によって網点面積率６０％〜１００％まで使用した背景と「Ａ」の文字を印刷した。次に、第１の印刷画像（４−３）の図柄上に第２の印刷画像（５−３）を、酸化重合型の透明ニスである「Ｎｅｗ  Ｃｈａｍｐｉｏｎ  マット  ＯＰニス」を用いて、ウェットオフセット印刷によって網点面積率１００％で「船」の図柄を重ね刷りした。第２の印刷画像（５−３）の構成は、実施例１の第２の印刷画像（５−２）の構成と同様とした。
【００４３】
図２１に示すように真偽判別可能な印刷物（１−３）を拡散光領域で観察する場合、第１の印刷画像（４−３）である「Ａ」の文字が視認でき、図２２に示すように第１の方向から拡散光領域から正反射光領域に徐々に視点を変えて観察する場合、図２２（ａ）に示すように拡散光が正反射光よりも強い領域では、第１の印刷画像（４−３）の「Ａ」の文字は視認され難くなり、第１の印刷画像（４−３）である「円」の図柄内に第２の印刷画像（５−３）である「船」の図柄が一定の濃度で視認され、図２２（ｂ）に示すように正反射光領域に近づくにつれて第１の印刷画像（４−３）である「円」の図柄内に第２の印刷画像（５−３）である「船」の図柄がポジ画像として視認できた。図２３に示すように第２の方向から拡散光領域から正反射光領域に徐々に視点を変えて観察する場合、図２３（ａ）に示すように拡散光が正反射光よりも強い領域では、第１の印刷画像（４−３）の「Ａ」の文字は視認され難くなり、第１の印刷画像（４−３）である「円」の図柄内に第２の印刷画像（５−３）である「船」の図柄が一定の濃度で視認され、図１８（ｂ）に示すように正反射光領域に近づくにつれて第１の印刷画像（４−３）である「円」の図柄内に第２の印刷画像（５−３）である「船」の図柄がネガ画像として視認できた。
（実施例３）
【００４４】
実施例１乃至２の第２の印刷画像を、下記の配合のスクリーン印刷用インキを用いてスクリーン印刷機によって、第１の印刷画像上に重ね刷りした。その他の構成は、実施例１及び２と同様である。
顔料                                  １０重量部
（ＳｉＯ２  シリカ粉）
ウレタンアクリレート                  ５０重量部
（日本化薬社製ＵＸ−４１０１）
モノマー                              ３０重量部
（日本化薬社製ＰＥＧ−４００ＤＡ）
開始剤                                  ９重量部
（チバスペシャルティーケミカルズ社製イルガキュア８１９）
禁止剤                              ０．５重量部
（東京化成工業社製メチルヒドロキノン）
消泡剤                              ０．５重量部
（東レ・ダウコーニングシリコン社製ＳＣ５５４０）
第２の印刷画像のインキの盛りは、５０μｍ程度であった。正反射領域で観察する場合、実施例１乃至３よりも第２の画像内に施された潜像画像の視認性が優れる結果であった。
【００４５】
第１乃至２の実施例における真偽判別可能な印刷物をカラーコピー機でコピーした複写物は、オリジナルの真偽判別可能な印刷物とは全く視感性が異なり、光反射性及び観察角度による第１の印刷画像及び第２の印刷画像の変化を示すことはなく、第１乃至３の実施例における真偽判別可能な印刷物は、カラーコピーによる複写に対する複写防止効果にも優れていた。
【符号の説明】
【００４６】
１、１−１、１−２、１−３  真偽判別可能な印刷物
２、２−１、２−２、２−３  基材
３、３−１、３−２、３−３  印刷画像
４、４−１、４−２、４−３  第１の印刷画像
５、５−１、５−２、５−３  第２の印刷画像
６ａ  高濃度領域
６ｂ  第１の中間濃度領域
６ｃ  第２の中間濃度領域
６ｄ  低濃度領域
７ａ  第１の万線画線
７ｂ  第２の万線画線
７ｃ  第３の万線画線
７ｄ  第４の万線画線
８  輪郭
２１ａ、２１ｂ、２１ｃ  照明光源
２２ａ、２２ｂ、２２ｃ  視点
【図１】
0005896210.tif 000002
【図２】
0005896210.tif 000003
【図３】
0005896210.tif 000004
【図４】
0005896210.tif 000005
【図５】
0005896210.tif 000006
【図６】
0005896210.tif 000007
【図７】
0005896210.tif 000008
【図８】
0005896210.tif 000009
【図９】
0005896210.tif 000010
【図１０】
0005896210.tif 000011
【図１１】
0005896210.tif 000012
【図１２】
0005896210.tif 000013
【図１３】
0005896210.tif 000014
【図１４】
0005896210.tif 000015
【図１５】
0005896210.tif 000016
【図１６】
0005896210.tif 000017
【図１７】
0005896210.tif 000018
【図１８】
0005896210.tif 000019
【図１９】
0005896210.tif 000020
【図２０】
0005896210.tif 000021
【図２１】
0005896210.tif 000022
【図２２】
0005896210.tif 000023
【図２３】
0005896210.tif 000024